(57)【特許請求の範囲】
【請求項１】
受信装置に対してＦＳＫ変調した無線信号を送信する送信装置であって、
前記送信装置は、
前記受信装置に送信する送信内容とＦＳＫ変調での最大周波数偏移の値を決定し、一の前記送信内容と、一の前記最大周波数偏移の値と、一のＦＳＫ変調の中心周波数の値とを含む出力情報を出力する制御部と、
前記制御部が出力した、前記送信内容、前記最大周波数偏移の値、及び前記中心周波数の値に基づき、ＦＳＫ変調信号を生成する生成部と、
前記生成部で生成された前記ＦＳＫ変調信号を無線信号として送信する送信アンテナと、
を備え、
前記制御部は、
前記送信内容として前記受信装置側に所定の制御を行わせるための指令を前記受信装置に送信する際に、前記送信内容と前記中心周波数の値は同一であるが、前記最大周波数偏移の値がそれぞれ異なる複数の前記出力情報を、前記生成部に対しそれぞれ異なるタイミングで出力する機能を有し、
前記指令を前記受信装置に送信する際に、同一の前記送信内容を送信する送信回数を設定し、前記出力情報を設定した前記送信回数繰り返し出力する、
ことを特徴とする送信装置。
【請求項２】
前記制御部は、同一の前記送信内容を前記受信装置に送信する際に、交互に異なる前記最大周波数偏移の値を含む前記出力情報を出力することを特徴とする請求項１に記載の送信装置。
【請求項３】
さらに、増幅器を備え、
前記制御部は、
電源の供給電圧を検出する電圧検出部と、
前記電圧検出部が検出した供給電圧の値に基づいて、前記ＦＳＫ変調信号の信号強度を決定する信号強度決定部と、
を備え、
前記制御部は、前記信号強度決定部が決定した信号強度の値をさらに含む前記出力情報を出力し、
前記生成部は、前記信号強度の値を前記増幅器に設定し、
前記送信アンテナは、前記増幅器に設定された信号強度で、前記ＦＳＫ変調信号を無線信号として送信する、
ことを特徴とする請求項１又は２に記載の送信装置。
【請求項４】
受信装置に対してＦＳＫ変調した無線信号として、一の送信内容として前記受信装置での制御のための一つの指令を、２回以上送信する送信方法であって、
前記指令を前記受信装置に送信する際に、同一の前記送信内容を送信する送信回数を設定するステップと、
所定のＦＳＫ変調の中心周波数の値と一の最大周波数偏移の値とに基づいて、前記一の送信内容をＦＳＫ変調し、送信する第一送信ステップと、
前記所定のＦＳＫ変調の中心周波数の値と他の最大周波数偏移の値とに基づいて、前記一の送信内容をＦＳＫ変調し、送信する第二送信ステップと、
前記第一送信ステップおよび前記第二送信ステップを設定した前記送信回数繰り返すステップと、
を有する送信方法。
【請求項５】
前記制御部は、同一の前記送信内容を前記受信装置に送信する際に、前記２以上の異なる前記最大周波数偏移の値の内のいずれかは、前記無線信号のピーク出力強度の周波数がノイズの周波数領域から外れた前記最大周波数偏移の値を含む前記出力情報を出力することを特徴とする請求項１に記載の送信装置。
【発明の詳細な説明】
【技術分野】
【０００１】
本発明は、送信装置及び送信方法に関し、特に、受信装置に対してＦＳＫ変調した無線通信を行う送信装置及び送信方法に関する。
【背景技術】
【０００２】
車両のキーレスエントリシステムに使用される携帯機（ＦＯＢ）は、使用者がその解錠／施錠等の押しボタンスイッチを押した場合、ＦＯＢから車両側ＥＣＵに対して、解錠／施錠等の指令信号を送信する。車両側ＥＣＵは、その指令信号が予め登録されたＦＯＢからの信号であると認証できた場合、実際に車両ドアの解錠／施錠等を実行する。
【０００３】
ＦＯＢと車両ＥＣＵとの通信は、無線通信で行われるため、外乱（ノイズ）等で妨害されることがある。外乱等による通信妨害を防ぐため、信号の出力強度を上げることが考えられるが、キーレスエントリシステムにおけるＦＯＢが使用する無線通信の出力強度の上限は法律で定められており、その上限を超える強度で信号を送信することはできない。そこで、外乱等による妨害を防ぐために、ＦＯＢから車両ＥＣＵへ送信する送信信号の周波数を変更し、外乱等による影響の少ない周波数で通信を行うことが知られている。
【０００４】
例えば、特許文献１では、キーレスエントリシステムにおいて、通信が確実に行われるようにする車両制御システムが開示されている。この車両制御システムにおいては、スマート携帯機（ＦＯＢ）は、キーレスエントリシステム用のキーレス用無線信号を、２つの周波数チャンネルで送信する。一方、キーレス用無線信号を受信する統合チューナでは、２つの周波数チャンネルのうち、通信状態の良好な周波数チャンネルを判定し、その判定した周波数チャンネルのキーレス用無線信号を中間周波数信号に変換するための周波数に制御する。この結果、通信状態の良好な周波数チャンネルのキーレス用無線信号を受信して通信が確実に行われるようにする。
【０００５】
そして特許文献１では、複数の周波数チャネルを使用する必要があり、送信装置側（ＦＯＢ）だけでなく、受信装置側（車両側ＥＣＵ）においても、複数の周波数を送受信するための回路が必要となる。
【先行技術文献】
【特許文献】
【０００６】
【特許文献１】特開２００８−１０１３４４号公報
【発明の概要】
【発明が解決しようとする課題】
【０００７】
そこで、本発明は、上記問題に鑑みてなされたものであり、本発明の目的とするところは、キーレスエントリシステムにおいて、受信装置に対して無線通信を行う送信装置であって、単一の周波数チャネルを用い、外乱等による無線通信の妨害を防ぎ、確実に受信装置と通信を行うことができる送信装置を提供することである。
【課題を解決するための手段】
【０００８】
上記課題を解決するために、受信装置に対してＦＳＫ変調した無線信号を送信する送信装置であって、その送信装置は、その受信装置に送信する送信内容とＦＳＫ変調での最大周波数偏移の値を決定し、一の前記送信内容と、一の最大周波数偏移の値と、一のＦＳＫ変調の中心周波数の値とを含む出力情報を出力する制御部と、その制御部が出力した、その送信内容、その最大周波数偏移の値、及びその中心周波数の値に基づき、ＦＳＫ変調信号を生成する生成部と、その生成部で生成されたそのＦＳＫ変調信号を無線信号として送信する送信アンテナと、を備え、その制御部は、前記送信内容として前記受信装置側に所定の制御を行わせるための指令を前記受信装置に送信する際に、前記送信内容と前記中心周波数の値は同一であるが、前記最大周波数偏移の値がそれぞれ異なる複数の前記出力情報を、前記生成部に対しそれぞれ異なるタイミングで出力する機能を有し、指令を受信装置に送信する際に、同一の送信内容を送信する送信回数を設定し、出力情報をその設定した送信回数繰り返し出力することを特徴とする送信装置が提供される。
これによれば、外乱等による無線通信の妨害を防ぎ、確実に受信装置と通信を行う送信装置を提供できる。
【０００９】
さらに、その制御部は、同一の送信内容をその受信装置に送信する際に、交互に異なる最大周波数偏移の値を含む出力情報を出力することを特徴としてもよい。
これによれば、単純な論理により、外乱等による無線通信の妨害を防ぎ、確実に受信装置と通信を行う送信装置を提供できる。
【００１０】
さらに、増幅器を備え、その制御部は、電源の供給電圧を検出する電圧検出部と、その電圧検出部が検出した供給電圧の値に基づいて、そのＦＳＫ変調信号の信号強度を決定する信号強度決定部と、を備え、その制御部は、その信号強度決定部が決定した信号強度の値をさらに含む前記出力情報を出力し、その生成部は、その信号強度の値をその増幅器に設定し、その送信アンテナは、その増幅器に設定された信号強度で、そのＦＳＫ変調信号を無線信号として送信することを特徴としてもよい。
これによれば、電源電圧の高低に拘わらず、一定した強度の信号出力を出す送信装置を提供できる。
【００１１】
別の観点によれば、上記課題を解決するために、受信装置に対してＦＳＫ変調した無線信号として、一の送信内容として受信装置での制御のための一つの指令を、２回以上送信する送信方法であって、指令を受信装置に送信する際に、同一の送信内容を送信する送信回数を設定するステップと、所定のＦＳＫ変調の中心周波数の値と一の最大周波数偏移の値とに基づいて、その一の送信内容をＦＳＫ変調し、送信する第一送信ステップと、その所定のＦＳＫ変調の中心周波数の値と他の最大周波数偏移の値とに基づいて、その一の送信内容をＦＳＫ変調し、送信する第二送信ステップと、第一送信ステップおよび第二送信ステップを設定した送信回数繰り返すステップと、を有する送信方法が提供される。
これによれば、外乱等による無線通信の妨害を防ぎ、確実に受信装置と通信を行う送信方法を提供できる。
【発明の効果】
【００１２】
以上説明したように、本発明によれば、受信装置に対して無線通信を行う送信装置であって、単一の周波数チャネルを用い、外乱等による無線通信の妨害を防ぎ、確実に受信装置と通信を行うことができる送信装置及び送信方法を提供することができる。
【図面の簡単な説明】
【００１３】
【図１】本発明に係る送信装置の第一実施例のブロック図。
【図２】ＦＳＫ変調方式の通信における一般的な送信方法の説明図。
【図３】本発明に係る送信装置の第一実施例における送信方法（Ｂ）と従来の送信方法（Ａ）の説明図。
【図４】本発明に係る送信装置の第一実施例における送信方法のフローチャート。
【図５】本発明に係る送信装置の第一実施例の変形例１における送信方法のフローチャート。
【図６】本発明に係る送信装置の第一実施例の変形例２における送信方法のフローチャート。
【図７】本発明に係る送信装置の第一実施例の物理的な構成図。
【図８】本発明に係る送信装置の第二実施例のブロック図。
【図９】本発明に係る送信装置の第二実施例における送信方法の説明図。
【発明を実施するための形態】
【００１４】
以下では、図面を参照しながら、本発明に係る各実施例について説明する。
（第一実施例）
図１は、本発明に係る第一実施例における送信装置１のブロック図を示す。送信装置１は、車両のキーレスエントリシステムにおいて、車両側受信装置（図示せず）に対して無線通信を行う送信装置であり、典型的には、携帯機（ＦＯＢ）に備えられる。なお、本発明に係る送信装置１は、車両以外のキーレスエントリシステムに使用できることは言うまでもない。
【００１５】
送信装置１は、制御部１０、生成部２０、及び送信アンテナ３０を備える。制御部１０は、車両側受信装置に送信する送信内容とＦＳＫ変調での最大周波数偏移の値を決定する。ここで送信内容とは、ＦＯＢの認証のために必要な情報や、施錠／解錠等のＦＯＢから車両側受信装置への指令信号を含む。ＦＯＢの認証のために必要な情報は、ＦＯＢ毎に予め設定されており、指令信号は使用者によりＦＯＢ使用時に決定される。また、ＦＳＫ変調での最大周波数偏移とは、周波数偏移変調（Ｆｒｅｑｕｅｎｃｙ  Ｓｈｉｆｔ  Ｋｅｙｉｎｇ）における２値を示す周波数の差をいう。この最大周波数偏移については後述する。
【００１６】
また、制御部１０は、上記で決定された送信内容と最大周波数偏移の値、及びＦＳＫ変調の中心周波数の値を含む出力情報を出力する。ＦＳＫ変調の中心周波数の値とは、ＦＳＫ変調における２値を示す周波数の平均（相加平均又は相乗平均）の値を言う。この中心周波数は、キーレスエントリシステムにおいて予め設定される。
【００１７】
制御部１０は、一つの送信内容を車両側受信装置に送信する際に、同一の送信内容と、同一の中心周波数の値と、異なる最大周波数偏移の値をそれぞれ含む複数の出力情報を出力する。即ち、制御部１０は、例えばある時点において「ドアの施錠」という送信内容を送信する際には、その送信内容を、同じ中心周波数の値を伴い、最大周波数偏移の値を変化させて、複数回出力する。どのように最大周波数偏移の値を変化させるかについては、後述する。
【００１８】
生成部２０は、制御部１０が出力した送信内容、最大周波数偏移の値、及び中心周波数の値に基づき、ＦＳＫ変調信号を生成する。即ち、車両側受信装置が送信内容をデジタル信号に変換し処理できるように、制御部１０が出力した中心周波数から最大周波数偏移の値の１／２プラスした周波数とマイナスした周波数を生成する。
【００１９】
送信アンテナ３０は、生成部２０で生成されたＦＳＫ変調信号を無線信号として送信する。ＦＯＢの送信アンテナとしては、一般にコイルアンテナが用いられるが、特に限定されない。
【００２０】
どのように最大周波数偏移の値を変化させるかについて、図２及び図３を参照し説明する。図２（Ａ）及び図３（Ａ）、（Ｂ）に示される中心周波数を中心にして２つの山からなる波形のグラフは、横軸が周波数、縦軸が出力強度を示すＦＳＫ変調のグラフである。中心周波数より高く出力強度の高い周波数（中心周波数より右側の山の頂上にあたる周波数）と、中心周波数より低く出力強度の高い周波数（中心周波数より左側の山の頂上にあたる周波数）との差（図２（Ａ）におけるΔｆ１及び、図３におけるΔｆ１又はΔｆ２）、即ち、ピーク出力強度における周波数の差が、最大周波数偏移である。
【００２１】
図２（Ａ）は、中心周波数がｆ０で最大周波数偏移がΔｆ１のＦＳＫ変調方式での無線信号を示した図である。なお、図２（Ａ）の無線信号は、図２（Ｂ）で示す周波数ｆａがピークの信号と周波数ｆｂがピークの信号とを合成した波形で表されている。
【００２２】
ＦＳＫ変調方式の通信では、一つの情報を送信側から送信する際に、図２（Ｂ）に示すように周波数ｆａがピークの信号と周波数ｆｂがピークの信号とを別々のタイミングで送信する。そして受信側では、周波数ｆａの信号を受信するとデジタル信号の「０」と判定し、周波数ｆｂの信号を受信するとデジタル信号の「１」と判定する。つまり、送信側は周波数ｆａの信号と周波数ｆｂの信号とを複数組み合わせた信号を無線のアナログ信号として送信する。そして、受信側は周波数ｆａと周波数ｆｂの各信号を「０」または「１」に変換してデジタル情報として処理する。これによって、送信側から受信側へ情報が伝えられる。
【００２３】
図３の（Ａ）は従来の送信方法であり、（Ｂ）は本実施例における送信方法である。従来の送信方法においても、同一の送信内容を複数回出力する点は同じである。本図では２回の出力を示す。従来の送信方法においては、１回目の送信の最大周波数偏移と２回目の送信の最大周波数偏移はΔｆ１と等しい。また、１回目の送信の中心周波数と２回目の送信の中心周波数も等しい。この場合、ノイズの周波数領域がいずれかのピーク出力強度の周波数と重なった場合、１回目の送信と２回目の送信ではピーク出力強度での周波数は同じなので、１回目及び２回目の送信の両方ともノイズにより通信ができない。
【００２４】
一方、本実施例の場合、１回目の送信の中心周波数と２回目の送信の中心周波数は等しいが、１回目の送信の最大周波数偏移Δｆ１と２回目の送信の最大周波数偏移Δｆ２は異なっている。そうすると、ノイズの周波数領域が１回目の送信のいずれかのピーク出力強度の周波数と重なった場合であっても、２回目の送信のピーク出力強度の周波数は１回目とは異なっているので、２回目の送信のピーク出力強度の周波数は、ノイズの周波数領域から外れる可能性が高い。従って、たとえ、ノイズの周波数領域がピーク出力強度の周波数と重なった場合でも、同じ送信内容を異なる最大周波数偏移で複数回送信するので、複数回の内のいずれかの送信において、ピーク出力強度の周波数がノイズの周波数領域から外れることにより、通信が可能となる。
【００２５】
１回目の最大周波数偏移Δｆ１と２回目の最大周波数偏移Δｆ２は、本図ではΔｆ１よりΔｆ２の方が大きいが、逆であってもよい。Δｆ１及びΔｆ２は、あまり大きくすると帯域巾が大きくなるので、例えば受信側のフィルターにおいて熱雑音が大きくなってしまう。一方、あまり小さくすると、ＦＳＫ方式としての通信が困難になる。従って、Δｆ１及びΔｆ２は適宜選択される。
【００２６】
例えば、送信装置１において、中心周波数を３１５ＭＨｚ、一つの最大周波数偏移を４０ＫＨｚ（片側に＋２０ＫＨｚと−２０ＫＨｚずつ）、他の最大周波数偏移を８０ＫＨｚ（片側に＋４０ＫＨｚと−４０ＫＨｚずつ）とする。この場合、制御部１０は、１回目の送信では、指令信号等を含む送信内容に加え、中心周波数として３１５ＭＨｚ、最大周波数偏移として４０ＫＨｚを含む出力情報を出力する。生成部２０は、この出力情報に基づいて、中心周波数を３１５ＭＨｚ、出力強度のピークを３１４．９８ＭＨｚ（３１５ＭＨｚ−２０ＫＨｚ）と３１５．０２ＭＨｚ（３１５ＭＨｚ＋２０ＫＨｚ）として、送信内容のＦＳＫ変調信号を生成する。そして、送信アンテナ３０はそのＦＳＫ変調信号を送信する。
【００２７】
その後、制御部１０は、２回目の送信では、指令信号等を含む送信内容に加え、中心周波数として３１５ＭＨｚ、最大周波数偏移として８０ＫＨｚを含む出力情報を出力する。生成部２０は、この出力情報に基づいて、中心周波数を３１５ＭＨｚ、出力強度のピークを３１４．９６ＭＨｚ（３１５ＭＨｚ−４０ＫＨｚ）と３１５．０４ＭＨｚ（３１５ＭＨｚ＋４０ＫＨｚ）として、送信内容のＦＳＫ変調信号を生成する。そして、送信アンテナ３０はそのＦＳＫ変調信号を送信する。
【００２８】
このように、最大周波数偏移をわずかに変更するだけで、中心周波数を同一にして送信する場合、送信された信号を受信しアナログ信号をデジタル信号に変換し、処理を行う受信装置側では新たな設備投入を必要とせず、従来の（既存の）受信装置がそのまま本発明に使用できる。
【００２９】
図４は、本実施例における送信方法のフローチャートを示す。なお、ステップをＳと略して記載する。本送信方法では、（Ａ）で示すように、図３のように１回目の送信の最大周波数偏移Δｆ１（第１の最大周波数偏移の値）と２回目の送信の最大周波数偏移Δｆ２（第２の最大周波数偏移の値）とが異なり、このΔｆ１とΔｆ２が交互に所定回数繰り返される。
【００３０】
Ｓ１０にて、制御部１０は、使用者のＦＯＢの操作に基づき、送信内容を決定する。Ｓ２０にて、制御部１０は、同じ送信内容を送信する回数を示す送信回数を設定する。この送信回数は初期設定などにより予め制御部１０に与えられる。
【００３１】
Ｓ３０にて、制御部１０が出力する第１の最大周波数偏移の値Δｆ１を含む出力情報に基づき、生成部２０がＦＳＫ変調信号を生成し、送信アンテナ３０がそれを送信する。Ｓ４０にて、制御部１０が出力する第２の最大周波数偏移の値Δｆ２を含む出力情報に基づき、生成部２０がＦＳＫ変調信号を生成し、送信アンテナ３０がそれを送信する。この場合、送信内容と中心周波数は、１回目の送信の時と同じである。
【００３２】
Ｓ５０にて、制御部１０は、Ｓ２０にて設定した送信回数を繰り返したかチェックし、まだ設定した送信回数に達していない場合は、Ｓ３０に戻る。達していた場合は、送信を終了する。
【００３３】
図５は、本実施例の変形例１における送信方法のフローチャートを示す。本変形例では、（Ａ）で示すように、３種類の最大周波数偏移Δｆ１、Δｆ２、Δｆ３を用い、この３種類の最大周波数偏移により順次送信を所定回数繰り返す。
【００３４】
Ｓ１１０にて、制御部１０は、使用者のＦＯＢの操作に基づき、送信内容を決定する。Ｓ１２０にて、制御部１０は、同じ送信内容を送信する回数を示す送信回数を設定する。この送信回数は初期設定などにより予め制御部１０に与えられる。
【００３５】
Ｓ１３０にて、制御部１０が出力する第１の最大周波数偏移の値Δｆ１を含む出力情報に基づき、生成部２０がＦＳＫ変調信号を生成し、送信アンテナ３０がそれを送信する。Ｓ１４０にて、制御部１０が出力する第２の最大周波数偏移の値Δｆ２を含む出力情報に基づき、生成部２０がＦＳＫ変調信号を生成し、送信アンテナ３０がそれを送信する。この場合、送信内容と中心周波数は、１回目の送信の時と同じである。
【００３６】
Ｓ１５０にて、制御部１０が出力する第３の最大周波数偏移の値Δｆ３を含む出力情報に基づき、生成部２０がＦＳＫ変調信号を生成し、送信アンテナ３０がそれを送信する。この場合、送信内容と中心周波数は、１回目及び２回目の送信の時と同じである。
【００３７】
Ｓ１６０にて、制御部１０は、Ｓ１２０にて設定した送信回数を繰り返したかチェックし、まだ設定した送信回数に達していない場合は、Ｓ１３０に戻る。達していた場合は、送信を終了する。
【００３８】
図６は、本実施例の変形例２における送信方法のフローチャートを示す。本変形例では、（Ａ）で示すように、２種類の最大周波数偏移Δｆ１とΔｆ２を用い、Δｆ１を連続して２回、Δｆ２を連続して２回送信し、かかる送信を所定回数繰り返す。
【００３９】
Ｓ２１０にて、制御部１０は、使用者のＦＯＢの操作に基づき、送信内容を決定する。Ｓ２２０にて、制御部１０は、同じ送信内容を送信する回数を示す送信回数、同じ最大周波数偏移を連続し何回繰り返すかを示す送信方法を設定する。この送信回数及び送信方法は初期設定などにより予め制御部１０に与えられる。
【００４０】
Ｓ２３０にて、制御部１０が出力する第１の最大周波数偏移の値Δｆ１を含む出力情報に基づき、生成部２０がＦＳＫ変調信号を生成し、送信アンテナ３０がそれを送信する。Ｓ２４０にて、制御部１０は、Ｓ２２０にて設定した送信方法で設定した回数を繰り返したかチェックし、まだ設定した送信回数に達していない場合は、Ｓ２３０に戻る。達していた場合は、Ｓ２５０に進む。
【００４１】
Ｓ２５０にて、制御部１０が出力する第２の最大周波数偏移の値Δｆ２を含む出力情報に基づき、生成部２０がＦＳＫ変調信号を生成し、送信アンテナ３０がそれを送信する。この場合、送信内容と中心周波数は、Ｓ２３０での送信の時と同じである。Ｓ２６０にて、制御部１０は、Ｓ２２０にて設定した送信方法で設定した回数を繰り返したかチェックし、まだ設定した送信回数に達していない場合は、Ｓ２５０に戻る。達していた場合は、Ｓ２７０に進む。
【００４２】
Ｓ２７０にて、制御部１０は、Ｓ２２０にて設定した送信回数を繰り返したかチェックし、まだ設定した送信回数に達していない場合は、Ｓ２３０に戻る。達していた場合は、送信を終了する。
【００４３】
図７は、本実施例の物理的な構成図を示す。送信装置１の制御部１０と生成部２０は、ＩＣ回路により構成される。制御部１０のＩＣ回路は、マイクロコンピュータや入出力インターフェースと共に、制御論理を焼き付けたＲＯＭや、制御論理（プログラム）をロードしたＲＡＭでもよい。生成部２０のＩＣ回路は、典型的にはＰＬＬ回路（Ｐｈａｓｅ  Ｌｏｃｋｅｄ  Ｌｏｏｐ）を用いる。このＰＬＬ回路は、送信周波数を一定に保ち、また、レジスタに値を設定することにより目標とする周波数で信号を出力することができる。
【００４４】
増幅器４０は、ＦＳＫ変調信号である入力信号を大きな電力の出力信号に変換する。増幅器４０は、この機能を果たせばよく、特に限定されない。送信アンテナ３０は、生成部２０で生成されたＦＳＫ変調信号を無線信号として送信する。一般にコイルアンテナが用いられるが、特に限定されない。
【００４５】
（第二実施例）
図８は、本発明に係る第二実施例における送信装置１Ａのブロック図を示す。送信装置１Ａは、車両のキーレスエントリシステムにおいて、車両側受信装置（図示せず）に対して無線通信を行う送信装置であり、典型的には、携帯機（ＦＯＢ）に備えられる。
【００４６】
送信装置１Ａは、制御部１０Ａ、生成部２０Ａ、送信アンテナ３０、及び増幅器４０Ａを備える。制御部１０Ａは、車両側受信装置に送信する送信内容とＦＳＫ変調での最大周波数偏移の値を決定する。ここで送信内容とは、ＦＯＢの認証のために必要な情報や、施錠／解錠等のＦＯＢから車両側受信装置への指令信号を含む。ＦＯＢの認証のために必要な情報は、ＦＯＢ毎に予め設定されており、指令信号は使用者によりＦＯＢ使用時に決定される。
【００４７】
また、制御部１０Ａは、電圧検出部１１Ａと信号強度決定部１２Ａを備える。電圧検出部１１Ａは、送信装置１Ａへの電源の供給電圧を検出する。ここで、電源は、より具体的には、ＦＯＢに内蔵された電池である。信号強度決定部１２Ａは、電圧検出部１１Ａが検出した供給電圧の値に基づき、ＦＳＫ変調信号の信号強度を決定する。どのようにＦＳＫ変調信号の信号強度を決定するかについては後述する。
【００４８】
制御部１０Ａは、上記で決定された送信内容と最大周波数偏移の値、ＦＳＫ変調の中心周波数の値、及びＦＳＫ変調信号の信号強度を含む出力情報を出力する。これにより、送信装置１Ａは、同一の送信内容を車両側受信装置に送信する際に、同じ中心周波数、２以上の異なる最大周波数偏移から構成されるＦＳＫ変調信号により、同一の送信内容を複数回送信する。
【００４９】
生成部２０Ａは、制御部１０Ａが出力した送信内容、最大周波数偏移の値、及び中心周波数の値、及びＦＳＫ変調信号の信号強度に基づき、ＦＳＫ変調信号を生成する。その際、生成部２０ＡはＦＳＫ変調信号の信号強度の値を増幅器４０Ａに設定し、送信アンテナ３０Ａは、増幅器４０Ａに設定された信号強度で、ＦＳＫ変調信号を無線信号として送信する。最大周波数偏移の値の変化のさせ方は、第一実施例と同じやり方でよい。
【００５０】
どのようにＦＳＫ変調信号の信号強度を変化させるかについて、図９を参照し説明する。本図に示される中心周波数を中心にして２つの山からなる波形のグラフは、横軸が周波数、縦軸が出力強度を示すＦＳＫ変調のグラフである。（Ａ）は電源が新品などで電源電圧が高い場合、（Ｂ）は電源が古くなったなどで電源電圧が低い場合を表わす。
【００５１】
（Ａ）の場合、電源電圧の電圧をそのまま用いて無線信号を生成すると、その信号強度が適正値よりも高い値となる。この場合、送信装置１Ａへの電源の供給電圧は、電圧検出部１１Ａの検出により、予め与えられる適正値より高いことが分かるので、信号強度決定部１２Ａは、信号強度を抑え、適正な信号強度に近づけるように信号強度を決定する。これにより、節電が可能となる。
【００５２】
また、（Ｂ）の場合、電源電圧の電圧をそのまま用いて無線信号を生成すると、その信号強度が適正値よりも低い値となる。この場合、送信装置１Ａへの電源の供給電圧は、電圧検出部１１Ａの検出により、予め与えられる適正値より低いことが分かるので、信号強度決定部１２Ａは、信号強度を高め、適正な信号強度に近づけるように信号強度を決定する。これにより、通信品質の安定化が図られる。
【００５３】
なお、本発明は、例示した実施例に限定するものではなく、特許請求の範囲の各項に記載された内容から逸脱しない範囲の構成による実施が可能である。
【符号の説明】
【００５４】
１  送信装置
２  受信装置
１０  制御部
１１  電圧検出部
１２  信号強度決定部
２０  生成部
３０  送信アンテナ
４０  増幅器
【図１】
0005608140.tif 000002
【図２】
0005608140.tif 000003
【図３】
0005608140.tif 000004
【図４】
0005608140.tif 000005
【図５】
0005608140.tif 000006
【図６】
0005608140.tif 000007
【図７】
0005608140.tif 000008
【図８】
0005608140.tif 000009
【図９】
0005608140.tif 000010